(57)【要約】選択的かつ自主的に受信メッセージに応答する、複数のディレクトリ番号が関連付けられた無線メッセージ受信装置に関する方法を提供する。無線装置に関連付けられたディレクトリ番号は複数の利用者の属性や身分の１つと関連付いていると考えられる。例えば、第１のディレクトリ番号は「仕事」属性、第２のディレクトリ番号は「主婦」属性、等のように関連付けられる。発信者がディレクトリ番号の１つに発信する場合、発信者は個人属性の１つにアクセスしようとしていると考えられる。呼を受信すると、通信装置はアクセスしようとしている個人属性を識別し、事前に蓄積された通常処理命令に従って自主的に応答する。利用者が別の方法で応答する場合に使用される、ディレクトリ番号に対応した例外処理リストについても提供する。
2004531171.tif 000002
【特許請求の範囲】
【請求項１】
２つ以上のディレクトリ番号を通じて呼を受信する通信装置で受信した呼に応答する方法であって、
ａ）前記２つ以上のディレクトリ番号の１つによって発信者からの呼を受信するステップと、
ｂ）前記２つ以上のディレクトリ番号から前記呼を受信した前記１つのディレクトリ番号を識別するステップと、
ｃ）ステップｂにおいて前記２つ以上のディレクトリ番号から識別された前記１つのディレクトリ番号に対応する通常処理命令を実行することにより前記呼に応答するステップと
を有する方法。
【請求項２】
前記通常処理命令は、呼転送命令と呼の接続時に特定の着信音を使用する命令のグループから選択された１つの命令である、請求項１に記載の方法。
【請求項３】
２つ以上のディレクトリ番号を通じて呼を受信する通信装置で受信した呼に応答する方法であって、
ａ）前記２つ以上のディレクトリ番号の１つによって発信者からの呼を受信するステップと、
ｂ）前記２つ以上のディレクトリ番号から前記呼を受信した前記１つのディレクトリ番号を識別するステップと、
ｃ）前記呼が発信された発信番号を識別するステップと、
ｄ）前記識別された発信番号から前記識別された１つのディレクトリ番号への前記呼を、例外処理命令に従うかどうかを判断するステップと、
ｅ）ステップｄにおいて、前記識別された１つのディレクトリ番号への前記識別された発信番号が例外処理命令に従わないと判断された場合に、前記識別された１つのディレクトリ番号に対応する通常処理命令を実行することにより前記呼に応答するステップと、
ｆ）ステップｄにおいて、前記識別された１つのディレクトリ番号への前記識別された発信番号が例外処理命令に従うと判断された場合に、前記例外処理命令を実行することにより前記呼に応答するステップと
を有する方法。
【請求項４】
前記通常処理命令は、呼転送命令と、前記呼の接続時に特定の着信音を使用する命令とのグループから選択された１つの命令である、請求項３に記載の方法。
【請求項５】
発信者からの発信番号により呼に応答可能であり、２つ以上のディレクトリ番号の１つのディレクトリ番号を通じて受信する通信装置であって、前記通信装置はプロセッサを有し、前記プロセッサは、
ａ）前記２つ以上のディレクトリ番号から前記呼を受信した前記１つのディレクトリ番号を識別し、
ｂ）前記呼が発信された発信番号を識別し、
ｃ）前記識別された発信番号から前記識別された１つのディレクトリ番号への前記呼が、例外処理命令に従うかどうかを判断し、
前記プロセッサは、
前記識別された１つのディレクトリ番号への前記識別された発信番号が例外処理命令に従わないと判断した場合に、前記識別された１つのディレクトリ番号に対応する通常処理命令を実行することにより、前記呼に応答し、
前記識別された１つのディレクトリ番号への前記識別された前記発信番号が例外処理命令に従うと判断した場合に、前記例外処理命令を実行することにより、前記呼に応答する通信装置。
【請求項６】
前記通信装置は、携帯電話、ページャー、ＰＤＡ装置、サーバ及び有線電話のグループの中から選択された１つである、請求項５に記載の通信装置。
【請求項７】
前記プロセッサが、前記呼と共に受信する発信ＩＤデータを使用して、前記呼が発信された前記発信番号を識別する、請求項５に記載の通信装置。
【請求項８】
前記プロセッサが、前記ディレクトリ番号の１つと例外番号が関連付けられた例外処理命令を有するメモリを検索することにより、前記識別された発信番号から前記識別された１つのディレクトリ番号への前記呼が例外処理命令に従って処理される対象かどうかを判断する、請求項５に記載の通信装置。
【請求項９】
前記プロセッサが、前記メモリを検索して、前記識別された発信番号と前記識別された１つのディレクトリ番号に対応する例外番号と、例外処理命令とが前記メモリ上で関連付けられているかどうかを判断することによって、前記識別された発信番号から前記識別された１つのディレクトリ番号への前記呼が例外処理命令に従って処理される対象かどうかを前記プロセッサが識別する、請求項８に記載の通信装置。
【請求項１０】
前記プロセッサが、前記識別された１つのディレクトリ番号に対応する通常処理命令を実行することにより前記呼に応答することは、メモリを検索し、前記識別された１つのディレクトリ番号に関連付けられた通常処理命令を判断することを有する、請求項５に記載の通信装置。
【発明の詳細な説明】
【技術分野】
【０００１】
本発明は概して通信方法及び通信装置に関し、特に、ワイヤレスネットワークにおける通信装置において通話の処理を行う方法に関する。
【背景技術】
【０００２】
個人間の通信が重要になり、現代社会において非常に重要な位置を占めている。その結果、一個人が他人と通信するための数多くの方法を提供するための技術が急増した。新しい通信方法の急増は顕著であり、例えば、電子メール等のテキスト形式の通信手段の利用や、ページャー、無線通信装置、コードレス電話等の個人用無線通信装置が挙げられる。
【０００３】
このような装置や類似の装置は従来認識されていない数多くの利点や利便性が存在していたが、欠点がないとは言えなかった。そのような装置に関連する欠点の１つに、装置の利用者が、従来より利用できることが挙げられる。このことは、技術を非常に熱心に取り込む人に混乱を生じさせていたことからわかる。
【０００４】
平均的な１日の中において通常、人間は、数種類の役割や身分（例えば、従業員や、主婦、指導者、ボーイスカウトやガールスカウトのリーダー）を想定する。しかし、人間は特定の役割や身分を想定しているにも関わらず、誰からでも、何らかの目的でメッセージ（例えば、電話や、ページャーの呼び出し、電子メール）を受け取るという問題がある。着信呼がある毎に、それを頻繁に識別しなければならない人にとって、このことが負担になることがわかる。例えば、職務中に仕事と関係のない電話を受けることは非生産的であり、さらには仕事に対する脅威にもなり得る。同様に、自宅で仕事に関係する電話を受けることは、等しく混乱を生じさせる可能性がある。しかしながら、現在は利用者の自発的な関与によらなければ着信メッセージを識別する方法がない。
【０００５】
従って、一日中メッセージが届く毎に、装置の利用者が想定している種々の身分や役割に応じて、選択的に、かつ、自主的に受信メッセージに対応可能な個人用メッセージ受信装置のような通信装置を提供することが望ましい。
【発明の開示】
【課題を解決するための手段】
【０００６】
本発明は複数のディレクトリ番号を有する無線通信装置において、選択的に又は自主的に受信メッセージに対応する方法を提供する。ディレクトリ番号とは、例えば、発信者が無線通信装置に到達するためにダイヤルする電話番号でもよい。複数のディレクトリ番号が１つの無線通信装置に関連付けられている場合がある。無線通信装置が携帯電話の場合には、例えば、ＭＳＣで携帯電話のＩＤをそれぞれの電話番号に関連付けることにより、携帯電話は２つ以上の電話番号で着信呼を受信する場合がある。このような電話番号の１つ１つが無線通信装置のディレクトリ番号になる。
【０００７】
無線通信装置に関連付けられたディレクトリ番号は、利用者の複数の属性や身分の１つに関連付けられると考えられる。例えば、第１のディレクトリ番号は「仕事」属性、第２のディレクトリ番号は「主婦」属性、等のように関連付けられる。発信者がディレクトリ番号の１つに電話をかけると、発信者は効率的に利用者の属性に到達する。当該方法によって、通信装置が呼を受信すると、自動的に到達しようとする属性を識別し、事前に蓄積されている処理命令に従って自動的に応答する。
【０００８】
構成前の段階において、本方法には、通信装置に複数のディレクトリ番号の１つ１つに対応する通常呼処理命令を事前に構成するステップが一般的に含まれる。さらに、特定の発信者に対応する１つ以上の例外電話番号と、例外電話番号に対応する例外処理と、関連付けられた有効日時とを有する、ディレクトリ番号に対応する例外処理リストが事前に蓄積される。例外処理リストは通常処理命令による方法と別の方法で応答することを望む利用者が発信者に応答するために使用される。
【０００９】
使用段階においては、着信呼を受信すると、発信者が発信した特定のディレクトリ番号を自動的に識別する。発信ＩＤデータから得られる、呼が発信された発信番号が、識別されたディレクトリ番号に関連付けられた１つ以上の蓄積された例外電話番号と比較される。発信番号と蓄積された例外番号が一致した場合は、例外処理リストに蓄積された例外番号に対応する例外処理命令に従って呼が処理される。一致しない場合には、識別されたディレクトリ番号に対応する通常処理命令に従って着信呼が処理される。
【００１０】
前記方法のそれぞれの段階を実現するための装置は、携帯電話やページャーやＰＤＡ装置のような標準的な通信装置に好んで統合される。その他、装置は、通信機能（電子メール等）を有するパーソナルコンピュータに統合することが可能である。複数のディレクトリ番号及び関連付けられた通常処理命令はメモリに蓄積される。加えて、メモリは例外番号と例外処理リストとを有し、例外処理リストは、関連付けられた例外処理命令と有効日時を有する１つ以上の例外電話番号を表すデータ領域から構成される。通常処理命令と例外処理リストのデータの双方を更新し、削除し、追加するために、メモリは利用者によるアクセスが可能である。
【００１１】
さらに、当該装置には、発信されたディレクトリ番号用に蓄積された例外処理リストの電話番号と、着信呼の発信番号を比較する電子的処理が含まれる。着信呼は通常処理命令に従って処理される。又は、例外処理リストの例外番号と一致する場合には、例外処理命令に従って処理される。
【００１２】
本発明の一形態として、着信装置に関連付けられたディレクトリ番号に応じた特徴的な呼び出し音やメロディーや着信音を着信装置に実装する。着信呼が処理されるべきものであると通常処理命令が指示すると、常に、発信されたディレクトリ番号に対応した特徴的なメロディーを流すことができる。
【００１３】
本発明による方法及びシステムは、何らかの現在の、又は、将来のメッセージ処理が行われる通信網と共に使用することが可能である。このようなネットワークには、例えば、汎欧州デジタルセルラーシステム（ＧＳＭ）や公衆移動通信ネットワーク（ＰＬＭＮ）のようなワイヤレスネットワークが含まれ得る。
【発明を実施するための最良の形態】
【００１４】
本発明を携帯電話に適用した望ましい実施態様について、添付図面を引用して下記に述べる。
【００１５】
詳細には図面を参照すると、図１に本発明が実施され得る無線通信システム１００の簡略化したブロック図を示す。まず、固定電話装置１１０から携帯電話である無線通信装置１２０に電話した特定の事例に焦点を当てて説明する。携帯電話はＰＤＡやページャー等の個人用通信装置や何らかのデジタル又はアナログの無線通信装置でもよい。携帯電話１２０（又は同様の装置）は装置に関連付けられた複数のディレクトリ番号を有している。前述の携帯電話の場合において、複数のディレクトリ番号とは携帯電話１２０に複数の電話番号が割り当てられていることを指す。例えば、装置１１０から割り当てられた複数の電話番号（すなわち、ディレクトリ番号）の１つに電話すると、携帯電話１２０に到達する。
【００１６】
固定電話装置１１０は信号スイッチポイント（ＳＳＰ）１３０と、タンデムスイッチ１４０と、信号転送ポイント（ＳＴＰ）１５０と、サービスコントロールポイント１６０と、移動サービスセンター（ＭＳＣ）１７０と、ホームロケーションレジスター（ＨＬＲ）１８０とを通じて無線通信装置１２０に接続される。当該システム１００はワイヤレスネットワークと固定ネットワークで使用される構成要素間にインテリジェントブリッジ（ｉｎｔｅｌｌｉｇｅｎｔ  ｂｒｉｄｇｅ）を実装する。ＭＳＣ１７０とＨＬＲ１８０はワイヤレスネットワークで使用される構成要素である。ＭＳＣ１７０は無線通信装置１２０へのスイッチ処理及びルーティング処理を行い、ＨＬＲ１８０は無線通信装置１２０の位置情報を蓄積するデータベースである。システム１００の構成要素の動作は技術的に広く知られているため、本発明が適用され得る内容を実現するために必要な範囲についてのみ説明する。
【００１７】
図２において、本発明の第１の実施例を実装するために使用される携帯電話１２０の正面図が示されている。図２に示されているとおり、携帯電話１２０はディスプレイスクリーン２２２、アンテナ２２４、コントロールパネル２２６を有する。コントロールパネル２２６は１２個のアルファベット・数字キーを含むキーパネル２２８を有する。キーはディスプレイスクリーン２２２に表示（すなわち、スクロールアップ、スクロールダウン）されるメニューアイテムを表示するため、及びディスプレイスクリーンに表示されたメニューアイテムを選択するために備えられる。
【００１８】
図３において、本発明の実施例に従って、図２に示す携帯電話１２０の構成要素を表したブロック図３００が示されている。図３に示すとおり、ブロック図３００にはプロセッサ３０４と、入出力インタフェース回路３０５と、グラフィック入出力インタフェース回路３０６と、メモリ３０８と、バス３１０とが含まれる。プロセッサ３０４と、入出力インタフェース回路３０５と、グラフィック入出力回路３０６と、メモリ３０８の全てがバス３１０に接続される。
【００１９】
メモリユニット３０８は一般的に揮発性の構成要素と不揮発性の構成要素の双方を有する。揮発性メモリにはランダムアクセスメモリ（ＲＡＭ）が含まれる。望ましい実施態様では、メモリユニット３０８はＲＡＭである。不揮発性メモリには電気的消去・プログラム可能型読み取り専用メモリ（ＥＰＲＯＭ）、フラッシュ性消去・プログラム可能型読み取り専用メモリ（Ｆｌａｓｈ−ＥＰＲＯＭ）、及び読み取り専用メモリ（ＲＯＭ）が含まれる。
【００２０】
メモリ３０８は、（１）複数の利用者の属性と、利用者の属性に関連付けられたディレクトリ番号と、各属性に関連付けられた処理命令とを蓄積するディレクトリ番号・通常処理メモリ３１２と、（２）１つ以上の例外電話番号と、各例外電話番号と（オプションで）関連付けられた有効日時とを蓄積する例外処理番号・例外処理配列メモリ３１４と、（３）データ入力処理と、表示処理とを含むアプリケーションを蓄積するアプリケーションメモリ３２０とを有する。
【００２１】
プロセッサ３０４は、入出力インタフェース回路３０５と、グラフィック入出力インタフェース回路３０６と、メモリ３０８と、ディスプレイ領域２２２の動作を制御する。特に、プロセッサ３０４は（１）ディレクトリ番号・通常処理メモリ３１２と、例外番号・例外処理メモリ３２０に蓄積されたデータにアクセスし、（２）アプリケーションメモリ３２０に蓄積されたアプリケーションを実行し、（３）入出力インタフェース回路３０５を通じてコントロールパネル２２６と情報交換を行い、（４）グラフィック入出力インタフェース回路３０６を通じてディスプレイ領域２２２にメモリ３１２及び３１４用の出力バッファ（図示なし）に蓄積されたデータを表示することが可能である。上記の全ての処理は、以下に述べる点以外は従来通りの方法と同様の方法で処理される。
【００２２】
利用者は（アプリケーションメモリ３２０に蓄積された）従来通りのデータ入力処理を起動することが可能であり、キーパネル２２８の９個のアルファベット・数字キーを使用して、ディレクトリ番号・通常処理メモリ３１２にディレクトリ番号に対応する処理命令を入力することが可能である。また、利用者は例外電話番号と、関連付けられた例外処理命令と、存在する場合は関連付けられた有効日時とを例外番号・例外処理メモリ３１４に入力することが可能である。図５Ａから５Ｄを参照して入力例を以下に説明する。
【００２３】
図４Ａにディレクトリ番号・通常処理メモリ３１２に蓄積されたデータの具体例を示す。図４Ａのとおり、各行は３つのデータ領域を有しており、各行の列１は利用者属性３１５を、列２は利用者属性３１５に関連するディレクトリ番号３１７を、列３は通常処理命令３１９を規定する。図示の通り、行１は利用者の「仕事」についての属性に関するデータに関する。「仕事」の属性に関連付けられたディレクトリ番号は「２２２−４４４−１２３４」であり、「仕事」の属性に関する通常処理命令は「受付に転送」である。したがって、発信者が「仕事」のディレクトリ番号である利用者の２２２−４４４−１２３４に電話をかけると、プロセッサ３０４は（発信者の）電話番号を（下記説明の）例外処理リストから検出することができず、プロセッサ３０４は通常通り「受付に転送」という通常処理命令を実行し、電話を受付に転送する。
【００２４】
通常処理命令を入力又は更新する必要がある場合や、ディレクトリ番号を追加又は削除する場合は、容易に実行すべき操作を確認するために、利用者に属性（例えば、仕事）が表示される。
【００２５】
図４Ｂに例外番号・例外処理メモリ３１４に蓄積されるデータの具体例を示す。このメモリは、通常処理命令と別の方法で処理する必要のある発信者に対する例外処理リストを有する。
【００２６】
図４Ｂに示す通り、例外テーブル３１４は行ごとに配列されており、列１に利用者属性３１２、列２に発信者３２３ａ（同様に、「例外番号」として図４Ｂに示す発信者の電話番号３２３ｂ）を有する。テーブルのデータの第１グループに「仕事」の属性が示されている。この属性として、例外処理命令が適用される３つの例外番号、すなわち、２２２−４４４−４４４４、２２２−４４４−２５２５、２２２−４４４−４５５５を利用者は指定している。例外番号に対して例外処理及び有効日時が指定されている。
【００２７】
前述の図４Ａの通り、発信者がディレクトリ番号に電話をすると、通常は、受信装置によって、該当する通常処理命令が実行される。しかし、ディレクトリ番号に対する関連する発信番号が例外番号として存在する場合には、通常処理命令は実行されず、該当する例外処理命令が実行される。
【００２８】
例外処理テーブル３１４の使用例を図４Ａ及び４Ｂと共に示す。通常は、発信者が「仕事」のディレクトリ番号（本実施例ではディレクトリ番号２２２−４４４−１２３４に関連付けられて定義される）に電話すると、ディレクトリ番号・通常処理メモリ３１２から該当する通常処理命令「受付に転送」がプロセッサ３０４により検出され、プロセッサ３０４により実行される。しかし、通常処理命令の処理を行う前に、プロセッサ３０４は、発信ＩＤから発信番号を特定し、図４Ｂに示す適合可能な例外処理データと照合する。「仕事」の属性に関する例外処理リストに含まれる例外番号と一致する発信番号から発信者が発信した場合は、通常処理命令の代わりに、該当する例外処理命令が実行される。
【００２９】
このように、例えば、２２２−４４４−４４４から「仕事」の属性番号である２２２−４４４−１２３４に電話があると、図４Ｂ（行１）に示すとおり、蓄積された例外番号（すなわち、発信番号２２２−４４４−４４４）の１つと合致する。したがって、通常処理命令である図４Ａの行１に示す「受付に転送」の代わりに、例外処理命令である「着信音：ボーン・イン・ＵＳＡ」が実行される。さらに、図４Ｂの例外処理テーブル３１４に有効日時が含まれており、例外処理が有効であるか判断する照合を行う。有効な処理命令の場合に限り、例外処理命令が実行される。
【００３０】
前記の図４及び４Ｂに関するデータ項目を更新、追加、削除するための方法を図５Ａから５Ｄを引用して下記に述べる。
【００３１】
図４Ａ及び４Ｂに示すとおり、通常処理命令と例外処理命令のプログラムを行うためにメニューが使用され得る。図５Ａはディスプレイスクリーン２２２のキーパネル２２８を使用して検索した最初のメニュー５０２を示したものである。図５ａの通り、メニュー５０２は５つの属性（０１仕事、０２自宅、０３電車、０４ボーイスカウトリーダー、０５志願兵）を有する。例えば、「０１仕事」の属性は、メニュー表示５０２の選択領域５０３に表示され、更新、追加、削除をするために選択される。
【００３２】
図５Ｂは、メニュー表示５０２の第１の「０１仕事」領域５０３を選択することによりディスプレイスクリーン２２２に表示されるサブメニュー５０４を示したものである。「０１仕事」の選択により、「０１仕事」の利用者属性に関する通常処理命令、すなわち、図４Ａに示す「受付に転送」がディレクトリ番号・通常処理メモリ３１２から検索さる。メモリ３１２に現時点で蓄積された命令に対応する選択メニューが図５Ｂの通りハイライト表示される。メニューには、その他の通常処理命令についても図５Ｂの通り表示される。利用者は、図５Ｂのメニューの下部までスクロールすることができ、「仕事」の属性に適用可能なその他の通常処理命令を選択することができる。例えば、「着信呼を自宅にボイスメールで転送」という別の命令が選択されると、ディレクトリ番号・通常処理メモリ３１２に蓄積され、ディスプレイスクリーン５０４に現時点の選択として表示される。
【００３３】
図５Ｃは、キーパネル２２８を使用して検索されるディスプレイスクリーン２２２に表示される別のメニュー５０６を示したものである。図５Ｃの通り、メニュー５０６は図４Ｂの例外番号・例外処理メモリ３１４に蓄積された「仕事」の属性についての３つの例外番号を表示する。一組の発信者と例外番号、例えば、発信者「トム」と例外番号「２２２−４４４−４４４４」を選択すると、プロセッサ３０４は例外番号・例外処理メモリ３１４から例外番号「２２２−４４４−４４４４」に対応した例外処理命令と有効日時を検索する。すなわち、図４Ｂの通り、「着信音：ボーン・イン・ＵＳＡ」及び「２００１年６月７日  午後４：３０」が検出される。メモリ３１４に現時点で蓄積された例外処理命令に対応するメニューの選択が、図５Ｄの左側部分に示されている通り、ハイライト表示される。利用者は「仕事」の属性に適用できる他の例外処理命令として、図５Ｄの左側部分をスクロールすることができる（図５Ｄにいくつかの他の例外処理命令が表示されている）。別の例外処理命令が選択されると、例外番号・例外処理メモリ３１４に「トム」用として蓄積される。同様に、利用者はキーパッド２２８を使用して別の有効日時を入力し、削除し、前記の通り、メモリ３１４の「トム」の例外処理データを更新することができる。
【００３４】
前記の通り、利用者の意思によって、ディレクトリ属性と例外データが無線装置１２０のメモリ３０８に更新、削除、追加される。また、利用者は、選択したパラメータに応じて、電話に関するサービスに関するプロファイル（例えば、電話を職場のボイスメールに転送）に対応する属性に関するデータとプロファイルの入力を促される。
【００３５】
図６は本発明の１つの実施例に従う、無線通信装置１２０の動作を示したフローチャートである。フローチャートは無線通信装置１２０が着信呼を処理する方法を示したものである。当該方法はステップ６０１から開始する。
【００３６】
ステップ６０２において、無線通信装置１２０は着信呼の兆候を受信する。ステップ６０３において、発信されたディレクトリ番号に関して識別が行われる。ステップ６０４において、無線通信装置１２０は発信者の番号（すなわち、発信者が発信した電話番号）と、例外番号・例外処理メモリの発信されたディレクトリ番号に対応する事前に蓄積された例外番号とを比較する。ステップ６０５において、発信番号と例外番号が一致すると、ステップ６０６で該当する例外番号の例外処理命令に従って呼が処理される。一致しない場合、つまり、判定が否定的である場合は、ステップ６０８において、発信されたディレクトリ番号に対応する通常処理命令がディレクトリ番号・通常処理メモリから検索される。ステップ６１０において、発信されたディレクトリ番号に該当する通常処理命令が実行される。
【００３７】
図７は発明のその他の実施例を示したものである。通信装置はサーバ７１０及び自宅等に設置される有線電話セット７００から構成される。サーバ又はコントロールユニット７１０は別々の電話番号を持つ３本の電話線７２０ａ、７２０ｂ、７２０ｃと接続する。サーバ７１０は電話セット７００と通信線７２２で接続する。サーバ７１０には図３から６に示す携帯電話の実施例に記載したものと同様の処理及びメモリが組み込まれる。本実施例におけるディレクトリ番号は電話線７２０ａ、７２０ｂ、７２０ｃが有する電話番号である。従って、発信番号から電話線７２０ａ、７２０ｂ、７２０ｃのうちの１本で受信したディレクトリ番号の１つへの着信呼は、サーバ７１０によって前記携帯電話の実施例と同様の方法で処理される。そして、該当する通常処理命令又は例外処理命令によって呼が処理される。サーバ７１０と電話セット７００は統合された装置でもよい。その他、同等の構成についても可能である。
【００３８】
本発明は実施例を引用して述べたものであるが、本発明は前述の特別の実施例に限定されるものではない。その技術の分野で熟練した人は別紙の特許請求の範囲に記載の発明の意図及び範囲で類似及び改良が可能であることが理解できるであろう。
【図面の簡単な説明】
【００３９】
【図１】本発明の利用可能性がある無線通信システムを示したブロック図である。
【図２】本発明を実装するために使用される携帯電話の正面図である。
【図３】図２に示す携帯電話の構成要素を示したブロック図であり、本発明の第１の実施例で引用される。
【図４Ａ】本発明の第１の実施例における、ディスプレイ領域の表示を示した図である。
【図４Ｂ】本発明の第１の実施例における、ディスプレイ領域の表示を示した図である。
【図５Ａ】本発明の第１の実施例における、ディスプレイ領域の表示を示した図である。
【図５Ｂ】本発明の第１の実施例における、ディスプレイ領域の表示を示した図である。
【図５Ｃ】本発明の第１の実施例における、ディスプレイ領域の表示を示した図である。
【図５Ｄ】本発明の第１の実施例における、ディスプレイ領域の表示を示した図である。
【図６】着信呼を処理するステップを示したフローチャートである。
【図７】本発明の第２の実施例を示した図である。
【図１】
2004531171.tif 000003
【図２】
2004531171.tif 000004
【図３】
2004531171.tif 000005
【図４Ａ】
2004531171.tif 000006
【図４Ｂ】
2004531171.tif 000007
【図５Ａ】
2004531171.tif 000008
【図５Ｂ】
2004531171.tif 000009
【図５Ｃ】
2004531171.tif 000010
【図５Ｄ】
2004531171.tif 000011
【図６】
2004531171.tif 000012
【図７】
2004531171.tif 000013
【国際公開パンフレット】
2004531171.tif 000014
2004531171.tif 000015
2004531171.tif 000016
2004531171.tif 000017
2004531171.tif 000018
2004531171.tif 000019
2004531171.tif 000020
2004531171.tif 000021
2004531171.tif 000022
2004531171.tif 000023
2004531171.tif 000024
2004531171.tif 000025
2004531171.tif 000026
2004531171.tif 000027
2004531171.tif 000028
2004531171.tif 000029
2004531171.tif 000030
2004531171.tif 000031
2004531171.tif 000032
2004531171.tif 000033
2004531171.tif 000034
【国際調査報告】
2004531171.tif 000035
2004531171.tif 000036